(57)【要約】【課題】ドライバやレンチを使用できる人なら誰でも簡単に座を交換できる椅子を提供する。【手段】座４は、クッション１８が張られたインナーシェル１７を有する。インナーシェル１７のうち外周寄り部位には下向きのボス体４５が一体に形成されており、座受け１３には、ボス体４５が嵌合するボス受け部４４を形成している。座受け１３のサイド壁１３ａを貫通したボルト４６がボス体４５に挿通されている。ボルト４６はＴ型ナット５８にねじ込まれてからボス体４５に挿通しており、従って、ボス体４５はボルト４６で抜け止めされている。座受け１３の壁部１３ａには、ボルト４６の頭が入り込む凹部５１を形成している。ボルト４６の位置を一目で把握でき、しかも、楽な姿勢でボルト４６を回転操作できる。【選択図】図９
2009268675.tif 000002
【特許請求の範囲】
【請求項１】
ガスシリンダより成る脚柱の上端に固定されたベースに直接に又は他の部材を介して取り付けられている座受けと、前記座受けの上方に配置された座とを備えており、前記座と座受けとを、略水平状の姿勢でかつ座受けの外側から回転操作されるボルトで固定している、
椅子。
【請求項２】
前記座は、樹脂製インナーシェルにクッションを張った構造であるか、又は、上下に開口した座フレームに網状生地を張った構造になっており、前記インナーシェル又は座フレームには前記ボルトで固定するための下向きのボス体が形成されている一方、
前記座受けは、左右側部と後部とが上向きに緩く湾曲又は湾曲した壁部になっているショル形状を成しており、前記ボルトは座受けの壁部を貫通して座の下向きボス体に嵌まっており、かつ、前記座受けの壁部には、ボルトの頭が入り込む凹部を形成している、
請求項１に記載した椅子。
【請求項３】
前記座と座受けとは左右２のフロントコーナー部と左右２のリアコーナー部との４つのコーナー部を有する平面視略四角形に形成されており、これら座と座受けとの後部を、前記リアコーナー部の箇所に位置して平面視で略対角方向に延びるボルトで固定している、
請求項１又は２に記載した椅子。
【請求項４】
前記座と座受けとには、上下方向から嵌まり合うことで座と座受けとを水平方向にずれ不能に保持する位置決め部が設けられている、
請求項１〜３のうちの何れかに記載した椅子。
【発明の詳細な説明】
【技術分野】
【０００１】
本願発明は、座の取り替えの容易な椅子（回転椅子）に関するものである。
【背景技術】
【０００２】
椅子の一つのタイプとして、ガスシリンダよりなる脚柱を有するいわゆる回転椅子がある。この回転椅子では、脚柱の上端にベースが固定されており、ベースで座や背もたれを支持されている。座や背もたれの支持機構は様々であり、また、座や背もたれの構造も様々である。
【０００３】
例えば座の構造を例にとると、事務用の回転椅子では、樹脂製やスチール板製の座板にクッションを張った構造のものと、上下に開口した座フレームにネット状生地を張ったものとが主流であると言える。他方、座の支持構造としては、ベースに直接に又は他の部材を介して取り付けられた座受けに座を固定しているものが大半であると言える。
【０００４】
ベースと座との間に座受けを介在させているのには、一般にベースは平面視での大きさが座より遥かに小さいため、支持強度やスペースの問題で座をベースに直接に固定できないという理由や、背もたれの後傾動に連動させて座を後傾させるためには必然的に座受けが必要になると言った理由など、様々の理由がある。背もたれの後傾動に連動して座が後傾動及び（又は）後退動するシンクロタイプのロッキング椅子の場合、座受けは、ベースに後傾自在に連結された中間部材（中間金具）に取り付けられることが多い。
【０００５】
座を座受けに固定する方法としては、弾性変形する爪を利用したものと、ボルト（ビス）を利用したものとがあり、後者の例が特許文献１に開示されている。すなわち、特許文献１には、座をフレームにネット状生地が張られた構造としている椅子において、座の固定手段として、座受けに下方から挿入したボルトを座のフレームにねじ込むことが開示されている。
【特許文献１】特開２００４−４９６８５号公報
【発明の開示】
【発明が解決しようとする課題】
【０００６】
さて、椅子の座は使用しているうちに汚れたり張地が破れたりすることがある。また、張り地は幾つかの色のものが用意されていることが普通であり、ユーザーが椅子の購入後に異なる色の座をを欲する場合もある。従って、椅子が販売された後に座を交換する必要が生じるが、この座の交換はユーザー（購入者）が自分で行うことになる。
【０００７】
このようにユーザーが自ら座を交換する場合、爪を利用した固定方式では爪の位置が外側から分からない問題や、座のどこをどのようにしたら爪が外れるのかという点が分からない問題があるのに対して、特許文献１のようにボルトによる締結であると、ユーザーはボルトを緩めて取り外せば座を交換できることを目視によって把握できるため、爪を使用した固定方式に比べると座の交換方法をユーザーに知らしめるメッセージ機能は高いと言える。
【０００８】
しかし、特許文献１のようにボルトを下方から座にねじ込む方式では、座を交換するに際しては、椅子を倒してからボルトの位置を確認して工具でボルトの回転操作をするか、或いは、椅子は倒すことなく身体を屈ませてボルトの位置を確認しながら工具でボルトを回転操作せねばならず、いずれにしても作業は非常に面倒である。
【０００９】
本願発明はこのような現状に鑑み成されたものであり、ボルトで座を固定している椅子において、座の交換作業を楽に行える構造を実現することを主目的とするものである。なお、本明細書では上記主目的に関連した（又は関連しない）新規な構成を開示しており、これらは実施形態において説明している。
【課題を解決するための手段】
【００１０】
本願発明は各請求項に記載したとおりの構成であり、このうち請求項１の発明に係る椅子は、ガスシリンダより成る脚柱の上端に固定されたベースに直接に又は他の部材を介して取り付けられている座受けと、前記座受けの上方に配置された座とを備えており、前記座と座受けとを、略水平状の姿勢でかつ座受けの外側から回転操作されるボルトで固定している。
【００１１】
請求項２の発明に係る椅子は、請求項１において、先ず、前記座は、樹脂製インナーシェルにクッションを張った構造であるか、又は、上下に開口した座フレームに網状生地を張った構造になっており、前記インナーシェル又は座フレームには前記ボルトで固定するための下向きのボス体が形成されている。一方、前記座受けは、左右側部と後部とが上向きに緩く湾曲又は湾曲した壁部になっているショル形状を成しており、前記ボルトは座受けの壁部を貫通して座の下向きボス体に嵌まっており、かつ、前記座受けの壁部には、ボルトの頭が入り込む凹部を形成している。
【００１２】
請求項３の発明に係る椅子は、請求項１又は２において、前記座と座受けとは左右２のフロントコーナー部と左右２のリアコーナー部との４つのコーナー部を有する平面視略四角形に形成されており、これら座と座受けとの後部を、前記リアコーナー部の箇所に位置して平面視で略対角方向に延びるボルトで固定している。
【００１３】
請求項４の発明に係る椅子は、請求項１〜３のうちの何れかにおいて、前記座と座受けとには、上下方向から嵌まり合うことで座と座受けとを水平方向にずれ不能に保持する位置決め部が設けられている。
【発明の効果】
【００１４】
本願発明は、座を座受けに固定するボルトは水平姿勢になっていてしかも座受けの外側から工具で回転操作できるが、この構成により、ボルトの頭は座受けの周囲の方向に露出しており、従って、人は一々椅子をひっくり返さなくてもボルトの位置の視認と回転操作とを行える。従って、ドライバやレンチのような回転工具を使用できる人なら誰でも座の交換をごく簡単に行えるのである。
【００１５】
座受けはカバー機能を持たせるため上向きに開口した浅いシェル形状にすることが広く行われているが、このように座受けをシェル形状と成した場合において、請求項２の構成を採用すると、ボルトの頭は座受けの壁部の凹部に隠れて大きく露出することはないため、通常の状態で人目に触れて美観が悪化することはない。また、着座した人は手を無意識に座受けの側部下面に当てることがあるが、請求項２の構成ではその場合に指先がボルトの頭に当たることはないため、人に違和感を与えることもない。
【００１６】
椅子の座は平面視でおおよそ四角形の形状になっているものが大半であり、４つのコーナー部は丸みを帯びている。そして、オフィス用等の事務用回転椅子では例外なく背もたれを取り付けている。この背もたれは、前記特許文献１にも開示されているように、ベースに後傾等可能に連結したスイングアームに取り付けられていることが殆どである。他方、座を座受けに固定するにおいては、支持強度を確保するには、座はその後部をボルトで座受けに固定するのが好ましいが、座の背面部をボルトで座受けに固定すると、背もたれやスイングアームが邪魔になってボルトの回転操作に支障をきたすことがあり得る。
【００１７】
これに対して請求項３の構成を採用すると、座のリアコーナー部の箇所の外側には部材が存在しないことが殆どであるため、ボルトの回転操作の容易性を損なうことなく座を座受けに安定良く固定することができる。請求項４の構成を採用すると、座を固定するおいて正確に位置決めした状態でボルトのねじ込み操作を行えるため、雌ねじ穴の位置を探る煩わしさは全く無く、このため座の固定作業をごく簡単に行える。
【発明を実施するための最良の形態】
【００１８】
(1).椅子の概略
次に、本願発明の実施形態を図面に基づいて説明する。なお、以下の説明で、方向を特定する用語として「前後」「左右」の文言を使用するが、この文言は着座した人を基準にしている。
【００１９】
図１は椅子のおおまかな側面図であり、先ず、この図１に基づいて椅子の概略を説明する。椅子は、ガスシリンダより成る脚支柱１を有する脚装置２と、脚支柱２の上端に固定されたベース３と、ベース３の上方に配置された座４と、座４の後ろに配置された背もたれ５とを備えている。脚装置２は放射状に延びる複数本の枝足６を有しており、各枝足６の先端にはキャスター７が取り付けられている。
【００２０】
ベース３は上向き開口の箱型で前後に長い形状であり、その後部が脚支柱１に嵌着固定されている。ベース３の前部には中間金具８が第１軸９で後傾動可能に連結されており、また、ベース３の後部のうち脚支柱１よりも手前の部位には後ろ向きに延びる左右のスイングアーム１０が第２軸１１によって後傾動可能に連結されており、スイングアーム１０に背もたれ５を取り付けている。
【００２１】
中間金具８とスイングアーム１０とは第３軸１２によって相対回動可能に結されており、かつ、第１軸９を嵌めるためにベース３に設けたピン穴は略前後方向に長い長穴になっており、このため、背もたれ５が後傾すると座４は後退しつつ後傾する。図示していないが、椅子は背もたれ５の後傾動を弾性的に支持する弾性手段を有している。
【００２２】
中間金具８の上面には座受け１３が取り付けられており、座４は座受け１３に固定されている。座受け１３はポリプロピレン等の合成樹脂を素材とした射出成形によって上向き凹状のシェル状に形成されており、このためアウターシェルと称されることもある。。以下、座４及び座受け１３の詳細を図２以下の図面を参照して説明する。なお、図１では肘掛け装置１４を部分的に描いている。
【００２３】
(2).座と座受けとの基本構造
図２は座４と座受け１３と中間金具８とを分離した縦断側面図であり、この図に示すように、座４は、インナーシェル１７（座板）にクッション１８を張った構造になっている（クッション１８の表面は張り地で覆われている。）。インナーシェル１７はポリプロピレン等の合成樹脂製を素材として射出成形によって製造されている。
【００２４】
図３のうち（Ａ）はインナーシェル１７と座受け１３との分離側面図、（Ｂ）は座４として組み込んだ状態での縦断側面図、図４はインナーシェル１７と座受け１３との分離平面図、図５はインナーシェル１７と座受け１３とをずらして重ねた状態での平面図、図６はインナーシェル１７と座受け１３とを位置決めして重ねた状態での平面図、図７のうち（Ａ）はインナーシェル１７と座受け１３との分離背面図、（Ｂ）は図６の VIIB-VIIB視断面図である。なお、図６では座受け１３は細い線で描き、インナーシェル１７は太い線で描いている。まず、これらの図に基づいてインナーシェル１７と座受け１３との基本構造を説明する。
【００２５】
インナーシェル１７及び座受け１３は平面視でほぼ四角形の形状になっており、このため、座４は左右２つのフロントコーナー部１９と左右２つのリアコーナー部１９’とを有している。両コーナー部１９，１９’は丸みを帯びている。本実施形態ではインナーシェル１７は座受け１３よりも一回り小さくなっており、クッション１８の周縁部がインナーシェル１７の下面に回り込ませてこれを座受け１３の周縁に重ねている（図９（Ａ）参照）。
【００２６】
インナーシェル１７は人の身体にフィットするように正面視では上向き凹状になっており、かつ、前部はユーザーの大腿部を突き上げないように下向きに曲がっている。図４に示すように、インナーシェル１７には、着座による伸び変形を促進して身体へのフィット性を向上させるため、上下に開口した多数のスリットを形成している（図５，６ではスリットは省略している。）。
【００２７】
すなわち、主たるスリットとして、左右中間部でかつ略後半部には前後長手のセンタタースリット２０の群が形成されており、左右外端に寄った部位には前後長手のサイドスリット２１の群がセンタタースリット２０の群よりも手前にずれた状態で形成されており、センタースリット２０の群とサイドスリット２１の群との間には緩い弓形に湾曲した中間スリット２２の群が形成されている。
【００２８】
更に、補助的なスリットとして、リアコーナー部１９’に寄った箇所には、中間スリット２２とサイドスリット２１とを外側から囲う状態で内外２本のリアコーナースリット２３，２４が形成されており、かつ、フロントコーナー部１９の近傍箇所には、前後方向に延びる内外２本のフロントコーナースリット２６，２７が形成されている。これらリアコーナースリット２３，２４とフロントコーナースリット２６，２７とは固定手段とも関係しているが、この点は後述する。
【００２９】
座受け１３も正面視で上向きに凹状で全体的に緩く湾曲しており、このため、例えば図７（Ａ）に示すように、左右両側部は湾曲したサイド壁部１３ａになっている。また、例えば図３に示すように、座受け１３の後端部は略傾斜状のバック壁部１３ｂになっており、更に、例えば図３〜図５に示すように、座受け１３のうちリアコーナー部１９’の箇所は、サイド壁部１３ａとバック壁部１３ｂとが滑らかに連続する湾曲状のリアコーナー壁部１３ｃになっている。
【００３０】
座受け１３のうち左右中間部はフラットな平坦部１３ｄになっている。他方、例えば図７（Ｂ）に示すように、中間金具８は、側板２７の上端に外向きの上水平片２８が折り曲げ形成された左右２つの部材に第１軸９と第３軸１２とを溶接した構造になっており、左右の上水平片２８で座受け１３の平坦部１３ａを支持している。そして、座受け１３の平坦部１３ｄには、中間金具８の上水平片２８を外側から抱持するガイド片２９が飛び飛びの状態で多数形成されており、これにより、座受け１３（すなわち座４）を上向き離反不能で前後動可能に支持している。ガイド片２９は下向きの外リブ３０に形成されており、また、外リブ３０の内側には、中間金具８の側板２７の内側面に密接する内リブ３が形成されている。
【００３１】
座受け１３の平坦部１３ｄの略前半部には、インナーシェル１７が上方から当接し得る支持部１３ｅを上向きに突設している。支持部１３ｅは平面視四角形に形成されていてかなりの面積を有しており、全体として緩い角度で後傾しており、かつ後端面は大きく傾斜している。人が着座するとインナーシェル１７は若干撓んで前半部が支持部１３ｅに当たり、そして、支持部１６ｅの周囲の箇所において大きく撓み変形（下向き伸び変形）し得る。従って、インナーシェル１７のスリットは殆ど支持部１６ｅの外側に位置しており、また、支持部１３ｅを除いた箇所ではインナーシェル１７と座受け１３との間には、インナーシェル１７の沈み込みを許容するための空間が空いている。
【００３２】
座受け１３（座４）の前後位置は段階的に調節することができ、この調節手段の一環として、図４〜６に示すように、支持部１３ｅの右側に操作レバー（図示せず）を取り付けるためのレバー装着部３１が形成されている。但し、これは本願発明との関係はないので説明は省略する（必要なら、特開２００５−１５２１０２号公報を参照されたい。）。
【００３３】
(3).座の位置決め構造
次に、座４を座受け１３に対して位置決めする構造を説明する。本実施形態では、位置決め手段として、座受け１３の支持部１３ｅに第１位置決め穴３４とその後ろに位置した左右２つの第２位置決め穴３５を形成し、更に、平坦部１３ｃの後端でかつ左右中間部に第３位置決め穴３６を形成している。各位置決め穴３４〜３６は角形であり、第１位置決め穴３４は左右横長で、第２位置決め穴３５と第３位置決め穴３６は前後に長い形状になっている。
【００３４】
他方、インナーシェル１７には、第１位置決め穴３４に嵌まる第１位置決め突起３７と、第２位置決め穴３５に嵌まる第１位置決め突起３８と、第３位置決め穴３６に嵌まる第１位置決め突起３９とを下向きに突設している。各位置決め穴３７〜３９は上向きに開口した中空状に形成されているが、これは肉厚をできるだけ等しくしてヒケを防止するための措置である。
【００３５】
第３位置決め穴３９の後端は側面視で斜めにカットされた傾斜面３９ａになっている。また、座受け１３のリア壁部１３ｂのうち第３位置決め穴３６の後ろ側にはインナーシェル１７の後端が載る段部４０が凹み形成されている。
【００３６】
図３（Ｂ）に示すように、段部４０の前壁４０ａと第３位置決め穴３６との間隔寸法Ｅ１は第３位置決め突起３９における係止面３６の前後幅寸法Ｅ２よりも小さい寸法になっており、かつ、段部４０の前壁４０ａの上部は側面視で後傾した傾斜面４０ａ′になっている。また、図３（Ｂ）から理解できるように、第３位置決め穴３６に対する第３位置決め突起３９の嵌まり込み深さは第１位置決め穴３４及び第２位置決め穴３５に対する第１位置決め突起３７及び第２位置決め突起３８の嵌まり込み深さよりも大きくなっている。
【００３７】
従って、座４（インナーシェル１７）を座受け１３に位置合わせするに際しては、おおよその位置関係を定めてからインナーシェル１７を座受け１３に重ねると、多少の位置ずれがあっても、まず、第３位置決め突起３９が自身の傾斜面３９ａと段部４０の傾斜面４０′″とにガイドされて第３位置決め穴３６に誘い込まれる。すると、インナーシェル１７の前後位置が規制されるため、座４を左右に多少ずらすことによって第１位置決め突起３７と第２位置決め突起３８とは第１位置決め穴３４及び第２位置決め穴３５にそれぞれ自動的に嵌まり込む。従って、座４は殆ど座受け１３に対してワンタッチ的に位置決めされる。
【００３８】
位置決め手段としては位置決め穴と位置決め突起とを前後に一つずつ設けることもの可能であるが、本実施形態のように前部に１つの第１位置決め穴３４及び第１位置決め突起３７と２つの第２位置決め穴３５及び第２位置決め突起３８とを設けると、前後方向のずれと左右方向とのずれとを的確に防止できて好適である。
【００３９】
(4).座の前部の固定構造
次に、従前の図に加えて図８以下の図面も参照して座４の固定構造を説明する。図８（Ａ）は座受け１３のうちフロント締結部４１ａの部分斜視図、図８（Ｂ）は座受け１３のうちリア締結部４１ｂの平面図、図９のうち（Ａ）は座４を表示した状態で図８（Ａ）の IXA-IXA視断面図、（Ｂ）は（Ａ）の分離図、図１０のうち（Ａ）はフロント締結部４１ａの部分平面図、（Ｂ）はフロント締結部３４の分離斜視図、図１１のうち（Ａ）は図９（Ｂ）と同じ箇所での座４の嵌め込み途中の状態を示す図、（Ｂ）は図９（Ａ）の部分拡大図、図１２のうち（Ａ）は図９（Ｂ）の XIIA-XIIA視図、（Ｂ）は図９（Ｂ）の XIIB-XIIB視図である。まず、フロント締結部４１ａを説明する。
【００４０】
図８（Ａ）や図９，１０から容易に理解できるように、座受け１３のうち支持部１３ｅの前端部を挟んだ両側の部位には、支持部１３ｅに連続して左右外側に長く延びる前後一対の補強リブ４２が上向きに突設されており、補強リブ４２の先端に、下向きに開口した抱持部４３を介して上向き開口のボス受け部４４が一体に形成されている。他方、インナーシェル１７の前部には、ボス受け部４４にきっちり嵌まるボス体４５が下向きに突設されており、ボス体４５は水平姿勢のボルト４６でボス受け部４４に締結されている。この点を更に詳述する。
【００４１】
ボス受け部４４は、平面視で抱持部４３に向けて突出した凸形の形状をしており、抱持部４３と等幅の幅狭部と抱持部４３よりも大きい寸法の幅広部とを有しており、平面視で抱持部４３に向いた側が細幅の凸形になっており、かつ、周囲は壁で構成されている。すなわち、ボス受け部４４は、抱持部４３に連続した２つの第１壁４７と、第１壁４７に連続して前後外側に広がる第２壁４８と、第２壁４８に連続して左右外側に延びる第３壁４９と、前後の第３壁４９を繋ぐ第４壁５０とを有している。
【００４２】
ボス受け部４４の左右外側には、ボルト４６の頭４６ａが入り込む座ぐり状の凹部が左右外側に開口するように形成されているが、座ぐり状凹部が形成されているサイド壁１３ａは湾曲しているため、例えば部図８（Ａ）に示すように、第４壁５０の外側には座４ぐり状凹部を上から囲う膨出部５２が形成されており、この膨出部５２は第４壁５０と繋がっている。
【００４３】
ボス受け部４４の内部は、細幅の第１空所５３と広巾で第２空所５４とが一体に連続した形態になっている。第１空所５３は抱持部４３と第１壁４７とで囲われていると共に、第４壁５０に向けて延びており、他方、第２空所５４は、第２壁４８と第３壁４９と第４壁５０とで囲われていて第１空所５３よりも浅くなっている。従って、第２空所５４の底面５４ａは第１空所５３の底面に対して段違いになっている。第１空所５３の一部は第２空所５４に囲われた状態になっており、このため、第２空所５４は平面視でコ字状になっている。第１空所５３及び第２空所５４の内周面の上端には上傾斜面５５が形成されており、第１空所５３の内周面の下端部にした肉盛り状のした傾斜面５６が形成されている。
【００４４】
例えば図１０に明示するように、第３壁４９の内面（換言すると第２空所５４の前後内面）には平面視台形のストッパーリブ５７を内向きに突設している。例えば部９（Ｂ）から理解できるように、ストッパーリブ５７は、正面視で第１空所５３における外端の下傾斜面５６と部分的に重なるか又は接するような位置に設けている。
【００４５】
ボルト４６はＴ型ナット５８にねじ込まれる。Ｔ型ナット５８小判形のフランジ５８ａを有しており、Ｔ型ナット５８のフランジ５８ａは前後に寝た姿勢で第２空所５４の底面５４ａに当接又は密接するように設定している。そして、第４壁５０の内面には、Ｔ型ナット５８のフランジ５８ａの幅寸法と同じ程度の高さの補助段部５９を形成し、この補助段部５９の内面には、前後２本のスペーサリブ６０を内向きに突設している。
【００４６】
座受け１３の第２空所４３と座ぐり状凹部とは、Ｔ型ナット５８の筒部が嵌まる取り付け穴６１によって連通している。従って、取り付け穴６１の周囲には、ボルト４６の締め付け荷重を受けるリング状フランジ部６２が形成されている。第１空所５３は抱持部４３の内部に連通している。この場合、抱持部４３の上内面４３ａのうち第１空所５３に接した部分に、ボルト４６の挿入をガイドするための第１傾斜ガイド面４３ｂを形成している。この第１傾斜ガイド面４３ｂは、ボルト４６の半径よりも大きい最大寸法で上向きに抉られた状態に形成しており、このため、ボルト４６は、その先端を上にした姿勢に傾斜していても支障なく抱持部５３の内部に誘い込まれる。
【００４７】
例えば図１０（Ｂ）から理解できるように、ボス体４５は、ボス受け部４４の第１空所５３に対応した第１部分６３と、ボス受け部４４の第２空所５４に対応した第２部分６４とを有しており、第２部分６４には、ストッパーリブ５７の外側面（椅子の側面視で左右外側に臨んだ面）に当接又は密接するストッパー板部６４ｂが形成されている。また、第２部分６４には、ボス受け部４４の補助段部５９に重なり合う補助切欠き部６４ａを形成している。また、ボス体４５における第１部分６３の先端には、ボス受け部４４の第１空所５３の下傾斜面５３ｂにきっちり嵌まる先端傾斜面６３ａが形成されている。
【００４８】
ボス体４５にはボルト４６が貫通するボルト穴６８が空いており、このボルト穴６８のうちボルト４６の挿入方向に向いた端部には、ボルト４６を誘い込むための上傾斜面６８ａと下傾斜面６８ｂとを形成している。この場合、下傾斜面６８ｂの傾斜角度を上傾斜面６８ａよりも大きくし、かつ、下傾斜面６８ｂの前端がボルト穴６８の底面よりボルト４６の半径の半分程度がそれに近いぐらいの寸法だけ下方に位置するように設定している。このため、ボス受け部４４に対するボス体４５の嵌まり込みが不十分であっても、ボルト４６はボルト穴６８に誘い込まれ、その結果、ボス体４５を下向きにずらしてボス受け部４４にきっちり嵌め込むことができる。
【００４９】
図４や図６に示すように、前部のボス体４５は左右フロントコーナースリット２６，２７の間に形成されている。この場合、外側のフロントコーナースリット２７は平面視で外向きに突出した凸型部２７ａを有する形状に形成されており、凸型部２７ａと内側のフロントコーナースリット２６との間にボス体４５を形成している。
【００５０】
(4).座の後部の締結構造
図８（Ｂ）では、リア締結部４１ｂにおける座受け１３のボス受け部４４を表示している。この図から明らかなように、リア締結部４１ｂのボス受け部４４は、平面視で座４の左右横長中心線及び縦長中心線に対して４５°の角度で交叉した方向に延びている。換言すると、リア締結部４１ａでは、ボルト４６は座４の左右横長中心線及び縦長中心線に対して平面視で４５°傾いた姿勢で挿脱される。リア締結部４１ａでは、抱持部４３は２つの第１壁４７の間隔よりもやや小さい寸法になっている。
【００５１】
図４〜６に示すように、リア締結部４１ｂにおいても、後部のボス体４５は内外のリアコーナースリット２３，２４の間に位置しており、また、外側のリアコーナースリット２４の中途部を平面視で外向きに突出した凸型部２４ａを形成して、凸型部２４ａと内側のリアコーナースリット２３との間に下向きのボス体４５を形成している。云うまでもないが、リア締結部４１ｂの箇所において、ボス体４５はそのボルト穴６８が座４の横長線及び縦長線に対して４５°交叉する姿勢になっている。
【００５２】
フロント締結部４１ａとリア締結部４１ｂとは部材の平面視姿勢が相違するだけで、具体的な構造は本質的には同じである。このためリア締結部４１ｂの説明は省略する。なお、図４や図５に示すように、リア締結部４１ｂの箇所では、ボルト４６の頭４６ａが嵌まる凹部５１は平面視扇型になっている。そして、凹部５１の上面部はフラットになっており、この凹部５１の上面板５１ａでインナーシェル１７を支持するようなっている。
【００５３】
(5).まとめ
以上の構成において、座４を座受け１３に固定する（取り付ける）には、先ず、座受け１３の各ボス受け部４４にＴ型ナット５８を嵌め込んでセットしておくす。この場合、Ｔ型ナット５８を補助段部５９の箇所に寄せると、フランジ５８ａがストッパーリブ５７で位置決めされることにより、Ｔ型ナット５８は所定の姿勢に保持されて取り付け穴６１と同心状に保持され、このため、指先を頂面に当てて押すと筒部が取り付け穴６１に嵌まり込む。
【００５４】
また、仮に、Ｔ型ナット５８のフランジ５８ａがストッパーリブ５７よりも第２壁４８の側に寄っていると、Ｔ型ナット５８は倒れてしまって安定した姿勢にはならず、このため、人は正確な姿勢でないことを明確に把握してセットし直すことになる。
【００５５】
また、Ｔ型ナット５８の筒部を取り付け穴６１に嵌め込まずに第２空所５４の底面５４ａに載せた状態のままでボス４５をボス受け部４４に嵌め込むことが有り得るが、この場合は、図１１（Ａ）から理解できるように、ボス体４５における第１部分６３の先端傾斜面６３ａが正面視でストッパーリブ５７の外端面と同じ位置か内側（図１１（Ａ）で左側）に位置しているため、仮にＴ型ナット５８が第２空所５４の底面５４ａに載っただけであっても、ボス体４５の挿入によってＴ型ナット５８は自動的に押されたその筒部が取り付け穴６１に嵌まり込み、所定位置にセットされる。
【００５６】
Ｔ型ナット５８はボス体４５とボス受け部４４とで回転不能に保持されているため、ボルト４６は支障なく回転操作することができる。すなわち、例えば図１１から容易に理解できるように、ボルト４６の頭４６ａは前後方向に長く延びた姿勢になっていて、この頭部４６ａが、ボス４５の補助切欠き部６４ａとボス受け部４４における第２空所５４の底面５４ａとで上下から挟まれており、このたＴ型ナット５８は回転不能に保持されている。
【００５７】
そして、ボルト４６をＴ型ナット５８にねじ込み切ると、図１１（Ｂ）に明示するように、Ｔ型ナット５８のフランジ５８ａとボルト４６の頭４６ａとでリング状フランジ６２が挟持され、その結果、ボルト４６は水平姿勢で倒れ不能に保持される。ボルト４６の締め込みによってスペーサリブ６０は多少は圧縮変形（潰れ変形）するため、ボルト４６の頭４６ａとＴ型ナット５８のフランジ５８ａとでリング状フランジ６２をしっかりと挟持でき、その結果、ボルト４６を水平状の正確な姿勢に保持できる。
【００５８】
本実施形態ではボルト４６でボス体４５を直接に締結してはいないが、ボス体４５はボス受け部４４に嵌まって前後左右のいずれにもずれ不能に保持されており、しかも、ボス体４５はボス受け部４４で支持されているため、ボス体４５はボス受け部４４に離脱不能に取り付けられている。ボス体４５の上向き抜けがボルト４６によって阻止されていることは云うまでもない。敢えて述べるまでもないが、ボルト４８に座金を嵌め込んでもよい。
【００５９】
そして、ボルト４６の頭４６ａは座受け１３の外周の外側に露出しているため、一般の人であってもどのようにしたら座を交換できるかを人目で理解することができ、このため、座４の交換に際して戸惑うことはない。また、ボルト４６は水平状の姿勢であって座受け１３の外側から回転操作するため、人は無理のない姿勢でボルト４６を回転操作して座４の交換作業を行うことができる。
【００６０】
更に、座４は前後左右の４カ所をボルト４６で締結しているため安定良く強固に固定されるが、後ろの２本のボルト４６はコーナー部に対角方向から挿脱されるため、ボルト４６を回転操作するに際してイングアーム１０や背もたれ５が邪魔になることはなく、このため、背もたれ５を有する椅子あっても座４の交換を至極容易に行える。
【００６１】
既に説明したように、座４は、そのインナーシェル１７に形成した位置決め突起３７〜３９を座受け１３の位置決め穴３４〜３６に嵌め込むことで正確に位置決めされる。従って、椅子のユーザーが座４を自ら交換する場合であっても、戸惑うことなく交換作業をスムースに行える。なお、座４を取り外してもＴ型ナット５８はボス受け部４４に装着されたままであるため、Ｔ型ナット５８を紛失することはない。
【００６２】
本実施形態のようにボス体４５を一組のスリット（２３，２４），（２６，２７）の間に配置すると、ボス体４５はインナーシェル１７が弾性変形することで僅かながら上下方向やボルト４６の長手方向に移動可能であり、このため、加工誤差を吸収して座受け１３のボス受け部４４に正確に嵌め込むことかでき、また、着座状態で上下に延び変形することで座４のクッション性の向上にも貢献できる。
【００６３】
(6).その他
上記の実施形態は本実施形態の一例に過ぎず、本願発明は他にも様々に具体化てきる。例えば座や座受けの形状は必要に応じて任意の形態を採用できる。ボルトの本数や配置位置も４カ所には限定されず、例えば外周寄りの部位に頑丈な構造の位置決め手段を設けて、上下の離反を防止するために左右２本のボルトを使用するといったことも可能である。
【００６４】
座受けをベースに後傾可能に連結したり、後傾不能に固定したりすることも可能であり、更に、ベースと座受けとを一体構造とすることも可能である。ボルトによる固定手段としては、ボルトをボス体にねじ込んだり、ボス体を貫通させてからナット（或いは座受けの雌ねじ部）にねじ込んだりすることも可能である。位置決め手段は座や座受けの形状に応じて任意に設定できる。ボルトは座受けの手前から挿脱することも可能である。ボルトをリアコーナー部等のコーナー部に配置する場合、その角度は４５°には限らず、他の角度でも良い。ナットを使用する場合、六角ナットや板ナット等の各種の形状のものを使用できる。
【図面の簡単な説明】
【００６５】
【図１】実施形態に係る椅子のおおまかな側面図である。
【図２】座と座受けと中間金具とを分離した縦断側面図である。
【図３】（Ａ）はインナーシェルと座受けとの分離側面図、（Ｂ）は座として組み込んだ状態での縦断側面図である。
【図４】インナーシェルと座受けとの分離平面図である。
【図５】インナーシェルと座受けとをずらして重ねた状態での平面図である。
【図６】インナーシェルと座受けとを位置決めして重ねた状態での平面図である。
【図７】（Ａ）はインナーシェルと座受けとの分離背面図、（Ｂ）は図６の VIIB-VIIB視断面図である。
【図８】（Ａ）は座受けのうちフロント締結部の部分斜視図、（Ｂ）は座受けのうちリア締結部４１ｂの平面図である。
【図９】（Ａ）は座を表示した状態で図８（Ａ）の IXA-IXA視断面図、（Ｂ）は（Ａ）の分離図である。
【図１０】（Ａ）はフロント締結部の部分平面図、（Ｂ）はフロント締結部の分離斜視図である。
【図１１】（Ａ）は図９（Ｂ）と同じ箇所での座の嵌め込み途中の状態を示す図、（Ｂ）は図９（Ａ）の部分拡大図である。
【図１２】（Ａ）は図９（Ｂ）の XIIA-XIIA視図、（Ｂ）は図９（Ｂ）の XIIB-XIIB視図である。
【符号の説明】
【００６６】
１  ガスシリンダより成る脚支柱
３  ベース
４  座
５  背もたれ
８  中間金具
１０  スイングアーム
１３  座受け（アウターシェル）
１７  インナーシェル
１８  クッション
１９  フロントコーナー部
１９'  リアコーナー部
３４〜３６  位置決め穴
３７〜３９  位置決め突起
４４  ボス受け部
４５  ボス体
４６  ボルト
５１  凹部
５３  第１空所
５４  第２空所
５７  ストッパーリブ
５８  ナットの一例としてのＴ型ナット
【図１】
2009268675.tif 000003
【図２】
2009268675.tif 000004
【図３】
2009268675.tif 000005
【図４】
2009268675.tif 000006
【図５】
2009268675.tif 000007
【図６】
2009268675.tif 000008
【図７】
2009268675.tif 000009
【図８】
2009268675.tif 000010
【図９】
2009268675.tif 000011
【図１０】
2009268675.tif 000012
【図１１】
2009268675.tif 000013
【図１２】
2009268675.tif 000014